(57)【要約】【課題】静電気による誤動作や故障を防止して高い信頼性を確保するとともに、意匠性に優れた撮像機器を提供する。【解決手段】機器本体内部に電気回路を有する。外装の一部２０，３０もしくはすべてが導電性部材で構成される。導電性部材は機器操作時、使用者の指が触れる部位に配置される。導電性部材は、機器本体内部の電気回路のグランド回路と導通が確保されている。【選択図】      図１
2006201277.tif 000002
【特許請求の範囲】
【請求項１】
機器本体内部に電気回路を有する撮像機器であって、
外装の一部もしくはすべてが導電性部材で構成されていることを特徴とする撮像機器。
【請求項２】
前記導電性部材は機器操作時、使用者の指が触れる部位に配置されることを特徴とする請求項１に記載の撮像機器。
【請求項３】
前記導電性部材は、前記機器本体内部の前記電気回路のグランド回路と導通が確保されていることを特徴とする請求項１または２に記載の撮像機器。
【請求項４】
外装部品としての前記導電性部材は、その一端をＬ字状リブにより前記機器本体に引っ掛け、他端を導電性の弾性部材により常に前記機器本体内部側へ付勢されることで該機器本体に固定され、前記導電性の弾性部材の爪部と前記外装部品の電気的導通が確保されており、かつ前記弾性部材は前記機器本体の前記グランド回路と電気的に導通していることを特徴とする請求項３に記載の撮像機器。
【請求項５】
前記外装部品は、前記機器本体のネジを覆っていることを特徴とする請求項４に記載の撮像機器。
【請求項６】
前記外装部品の少なくとも一辺は、隣接したカバーに対して適度に突出していることを特徴とする請求項４または５に記載の撮像機器。
【発明の詳細な説明】
【技術分野】
【０００１】
本発明は、典型的にはビデオカメラ等、装置本体内部に電気的回路を有する撮像機器に関する。
【背景技術】
【０００２】
従来から電気回路を有する撮像機器において、使用者に帯電した静電気が衣服や指先から機器本体のグランド回路以外の電気回路に流れ、内蔵しているマイクロコンピューター等に不具合を与え、機器本体の誤動作や故障を起こす原因となっている。その対策として外装部品の隙間近傍に金属薄板等を配置し、その一端を機器本体内部のグランド回路と導通しているフレーム等に締結する。
【０００３】
また、従来この種の撮像機器の組み立てにおいて使用時の落下や、梱包輸送時の衝撃、または使用時の剛性感のために組み立てにネジが使用されている。また、ネジを使用することで修理時の分解、再組み立てを容易に行うことが可能である。
【０００４】
さらに、従来から撮像機器においてレンズ近傍に、成形樹脂にメッキを施した装飾バッチを取り付けている。この場合、静電気による誤動作や故障を回避するために装飾バッチの取り付けに導電性の接着紙による固定や、装飾バッチの弾性爪をカバーに対して引っ掛り形状で係合させ、そのバッチに金属の板バネを押し当て、このような手段で本体グランドとの導電を確保していた。
【０００５】
また、特許文献１には、導電性材料製の外装部材と非導電性材料製のインナカバーで構成される２重構造の外観部材と、カメラ内部のグランド電位との接続を容易にするとともに、高い信頼性が得られる構成のカメラが開示されている。
【０００６】
【特許文献１】特開２００２−７２３１７号公報
【発明の開示】
【発明が解決しようとする課題】
【０００７】
しかしながら、たとえば前述の金属薄板等を配置し、一端を本体内部のグランド回路と導通するものでは、金属薄板等の別部品を必要とするためコストダウンあるいは小型化の妨げになる。
【０００８】
また、ネジを使用するものでは、体裁面にネジが見えると見栄えが悪く、撮像機器本体の品位を落としてしまっていた。
また、静電気による誤動作、故障を回避するために装飾バッチの取り付けに導電性の両面接着紙を用いる場合、両面接着紙による固定では分解時に両面接着紙が破けることがあり、作業性が非常に悪かった。
【０００９】
さらに、成形樹脂の装飾バッチの引っ掛り形状による固定では、成形樹脂の弾性爪により固定しているために撮像機器本体を高温環境下に長時間放置しておくと、弾性爪が変形してしまう。弾性爪は変形すると外れてしまったり、外れないまでも本体装着状態でカタカタと動いてしまうという問題があった。また、装飾バッチの弾性爪が塑性変形や折れてしまい、再使用できないなどの問題があった。
【００１０】
さらに、特許文献１に記載のものでは、外装カバーのビスが体裁に現れてしまうため意匠性に著しく影響する等の問題があった。
【００１１】
本発明はかかる実情に鑑み、特に静電気による誤動作や故障を防止して高い信頼性を確保するとともに、意匠性に優れた撮像機器の提供することを目的とするものである。
【課題を解決するための手段】
【００１２】
本発明による撮像機器は、機器本体内部に電気回路を有する撮像機器であって、外装の一部もしくはすべてが導電性部材で構成されていることを特徴とする。
【００１３】
また、本発明の撮像機器において、前記導電性部材は機器操作時、使用者の指が触れる部位に配置されることを特徴とする。
【００１４】
また、本発明の撮像機器において、前記導電性部材は、前記機器本体内部の前記電気回路のグランド回路と導通が確保されていることを特徴とする。
【００１５】
また、本発明の撮像機器において、外装部品としての前記導電性部材は、その一端をＬ字状リブにより前記機器本体に引っ掛け、他端を導電性の弾性部材により常に前記機器本体内部側へ付勢されることで該機器本体に固定され、前記導電性の弾性部材の爪部と前記外装部品の電気的導通が確保されており、かつ前記弾性部材は前記機器本体の前記グランド回路と電気的に導通していることを特徴とする。
【００１６】
また、本発明の撮像機器において、前記外装部品は、前記機器本体のネジを覆っていることを特徴とする。
【００１７】
また、本発明の撮像機器において、前記外装部品の少なくとも一辺は、隣接したカバーに対して適度に突出していることを特徴とする。
【発明の効果】
【００１８】
本発明によれば、撮像機器のすべての外装部品もしくは少なくとも使用時に指が触れる外装部品を導電性部材にし、かつ機器本体のグランド回路と電気的導通を確保する。これにより使用者に帯電した静電気を確実に機器本体のグランド回路に流し、誤動作や故障等を防止する。その際、避雷針としての金属薄板等を必要としないため、コストダウンや小型化にも効果がある。
【００１９】
また、導電性部材である外装部品の少なくとも一端を、典型的にはＬ字状リブによる引っ掛け、他端を導電性の弾性部材により常に本体内部側へ付勢する。これにより機器本体に固定され、導電性の弾性部材の爪部と外装部品の電気的導通を可能とし、弾性部材が本体グランド回路と電気的に導通していることで、使用者の静電気による誤動作や故障を防ぐことができる。
【００２０】
また、ネジによる締結で撮像機器本体の剛性を確保し、かつ外装部品の固定を導電性の弾性部材による引っ掛けにする。これによりネジを撮像機器の体裁面に出さずに済み、意匠性の向上が図れる。
さらに、若干の段差部に簡易な冶具を当て差し込むことで、外装部品を容易に外すことができ分解性の向上が図れる。
【発明を実施するための最良の形態】
【００２１】
以下、図面に基づき、本発明による撮像機器の好適な実施の形態を説明する。
図１および図２は、ＶＴＲ一体型ビデオカメラ本体1（以下単に本体1と称す）の斜視図である。なお、図１および図２は、使用者が本体使用時の状態を示している。図１および図２において、フロントカバー10上面に装飾バッチ20が配置している。装飾バッチ20は導電部材である。撮影レンズ面を正面にして見て、左側面に左カバー40、右側面には右カバー60があり、左右両カバーの上に上カバー30が配置されている。上カバー30は導電部材である。本体後方上部にはファインダーカバー50が左カバー40および右カバー60に一部挟まれた形で配置されている。
【００２２】
装飾バッチ20および上カバー30は金属部材でも良いし、成形樹脂に導電性のメッキ処理を施したものでも良い。もしくは樹脂自体にカーボン繊維を混入した導電性成形部材でも差し支えない。
【００２３】
図３は、使用状態を示す斜視図である。図３に示すように装飾バッチ20および上カバー30は、使用者が本体１の使用時に指が掛かる位置に配置されている。
【００２４】
図４は、フロント部の分解斜視図である。図５はフロント部組み立て状態での断面図である。図４に示すバッチ固定板130は、フロントカバー10とフレーム110に挟まれる。ネジ71は、バッチ固定板130に形成された穴部130aとフレーム110に形成された穴部110aを貫通し、フロントカバー10のボス10aに固定される。
【００２５】
図５に示すようにバッチ固定板130は、フレーム110の上面に配置される。そしてバッチ固定板130のＵ字曲げ部130ｄは、フレーム110に形成された穴部110ｂに入り込み、バッチ固定板130に形成された爪部130ｃは、フレーム110の上部に位置する。
【００２６】
図４および図５に示すようにフレーム120はバッチ固定板130を挟み、ネジ72はフレーム120に形成された穴部120ｂおよびバッチ固定板130に形成された穴部130ｂを貫通し、フロントカバー10に形成されたボス10ｂに固定される。バッチ固定板130、フレーム110およびフレーム120は金属部材であり、図では示していないがフレーム120に形成された穴部120aが、本体1のメインフレーム2（メカデッキおよび基板等を含む主要フレーム；図６参照）に締結されることでバッチ固定板130、フレーム110およびフレーム120は電源グランドに導通可能となる。
【００２７】
図６は、上カバー30と装飾バッチ20を除いた本体1の分解斜視図を示す。右カバー60上面にはリブ60ａ,60ｂが形成され、それぞれ穴部60c,60dが形成されている。左カバー40上面にも同様にリブ40ａ,40ｂが形成され、穴部40c,40dが形成されている。また、フレーム110には、穴部110c,110dにタップ加工等が施され、ネジ締結が可能に形成されている。また、バッチ固定板130には穴部130eが形成され、穴部110cと同心に配置されている。
【００２８】
図７は、上カバー30と装飾バッチ20が取り付く前の本体の斜視図を示す。図８は図７の断面図である。左カバー40と右カバー60の本体1への固定は、本体後方についてはネジ73が穴部40ｄ,60ｄを貫通し、ファインダーカバー50に形成されたボス50ａに締結され、本体前方についてはネジ74が穴部40c,60cを貫通し、穴部110ｂに締結されることで完結する。
【００２９】
図９は、上カバー30の下方向からの斜視図を示す。上カバー30の一端に穴部30ａ,30ｂ、他端にＬ字状のリブ30ｃ、リブ30ｄを形成している。図１０は、上カバー30が本体に組み付いた状態の断面図である。左カバー40に形成された穴部40ｅ、右カバー60に形成された穴部60ｅにリブ30ｃ、リブ30ｄを挿入後にファインダーカバー50側に移動することにより、Ｌ字状のリブ30ｃ、リブ30ｄが穴部40ｅ、穴部60ｅの穴端に嵌合する。このとき穴部30ａは、穴部130e、穴部110c（図６）と同心に位置し、ネジ75によりフレーム110に締結されることにより、上カバー30の導通が確保される。また、バッチ固定板130の爪部130cは穴部30ｂを貫通し、上方に突出した状態となる。
【００３０】
図１１および図１２は、装飾バッチ20の形状を示す。装飾バッチ20は、その一端にＬ字状のリブ20aを形成し、他端に穴部20ｃが空いたリブ20ｂを形成している。
【００３１】
図１３は、装飾バッチ20の取り付け状態を示す。リブ20aを図７に示す穴部10cに挿入し、引っ掛け部を支点とし回転させ、バッチ固定板130のＵ字曲げ部130ｄの弾性を利用して爪部130ｃとリブ20ｂを係合させる。
【００３２】
図１４は、爪部130ｃおよびリブ20ｂの係合後の状態を示す。リブ20ｂおよび爪部130ｃが常に接触していることで、導電部材である装飾バッチ20と本体フレームの電気的導通が確保される。上カバー30および装飾バッチ20は撮影者がホールド時に指が触れる位置にあるので（図３参照）、使用者が静電気を帯電した状態で本体1をホールドした場合、上カバー30、装飾バッチ20に流れ込んだ電流は確実に電源グランドに流れ、本体1の誤動作、故障を回避できる。
【００３３】
一方、分解時は図１４に示す分解冶具80を矢印Ｂのように、装飾カバー20と上カバー30の隣接部に差し込むことで、装飾カバー20をＵ字曲げ部130ｄの弾力に抗して持ち上げ、爪部130cとリブ20ｂの係合を外す。この場合、図１４のＡ寸法に示す若干の段差をつけることにより、分解冶具80を先端装飾バッチ20に当てながら差し込むことが可能なため分解が容易になる。段差のＡ寸法としては、0.2〜0.5ｍｍ程度の範囲が望ましい。
【００３４】
以上、説明した実施の形態はビデオカメラに適応する場合について説明したが、デジタルカメラ等他の撮像機器に適用しても良い。
【図面の簡単な説明】
【００３５】
【図１】本発明の実施形態における本体の斜視図である。
【図２】本発明の実施形態における本体の斜視図である。
【図３】本発明の実施形態における本体使用状態の斜視図である。
【図４】本発明の実施形態におけるフロント部の分解斜視図である。
【図５】本発明の実施形態におけるフロント部組み立て状態での断面図である。
【図６】本発明の実施形態における上カバーと装飾バッチ取り付け前の本体の分解斜視図である。
【図７】本発明の実施形態における上カバーと装飾バッチ取り付け前の本体の斜視図である。
【図８】本発明の実施形態における上カバーと装飾バッチ取り付け前の本体の断面図である。
【図９】本発明の実施形態における上カバーの下方向斜視図である。
【図１０】本発明の実施形態における上カバーの断面図である。
【図１１】本発明の実施形態における装飾バッチの下方向斜視図である。
【図１２】本発明の実施形態における装飾バッチの断面図である。
【図１３】本発明の実施形態における装飾バッチ取り付け時の本体部分の断面図である。
【図１４】本発明の実施形態における本体部分の断面図である。
【符号の説明】
【００３６】
10  フロントカバー、10ａ,10b  ボス部、20  装飾バッチ、20a,20b  リブ、20b  穴部、30  上カバー、30a,30b  穴部、30c,30d  リブ、40  左カバー、40a,40b  リブ、40c,40d,40e  穴部、50  ファインダーカバー、50a  ボス部、60  右カバー、60a,60b  リブ、60c,60d,60e  穴部、71,72,73,74,75  ネジ、80  分解冶具、110  フレーム、110a, 110b, 110c  穴部、120  フレーム、120ａ  穴部、120ｂ  穴部、130  バッチ固定板、130ａ,130b, 130e  穴部、130c  爪部、130ｄ  Ｕ字曲げ部。
【図１】
2006201277.tif 000003
【図２】
2006201277.tif 000004
【図３】
2006201277.tif 000005
【図４】
2006201277.tif 000006
【図５】
2006201277.tif 000007
【図６】
2006201277.tif 000008
【図７】
2006201277.tif 000009
【図８】
2006201277.tif 000010
【図９】
2006201277.tif 000011
【図１０】
2006201277.tif 000012
【図１１】
2006201277.tif 000013
【図１２】
2006201277.tif 000014
【図１３】
2006201277.tif 000015
【図１４】
2006201277.tif 000016